(57)【要約】【課題】リモコン１１から送信されたかごの行先階を表示して受信を知らせるようにしたエレベータの操作装置を提供する。また、階床名が変化しても、その変化に左右されることなく行先階を表示できるようにして、量産可能なエレベータの操作装置を提供する。【解決手段】利用者が携行するリモコン１１によって行先階が指定されると、乗場１に設けられたかご位置表示手段８に、それまで表示されていたかご位置に替えて、リモコン１１から送信された行先階を所定時間表示する。また、かご位置表示手段８を、縦横に配列された表示エレメントを選択して明滅させるデジタル表示器で構成して階床名の変化に左右されないようにしたものである。【選択図】　　　　図１
2004142861.tif 000002
【特許請求の範囲】
【請求項１】
各乗場に設置されてエレベータのかご位置を表示するかご位置表示手段と、利用者に携行されて上記乗場からの上記かごの行先階を指定する操作信号を遠隔から送信するリモコンと、このリモコンからの上記操作信号を受信する受信機と、この受信機が上記操作信号を受信すると、上記かご位置に替えて上記行先階を上記かご位置表示手段に所定時間表示する表示切替手段とを備えたエレベータの操作装置。
【請求項２】
かご位置表示手段を、縦横に配列された表示エレメントを選択して明滅させるデジタル表示器とした請求項１に記載のエレベータの操作装置。
【請求項３】
表示切替手段は、リモコンによって指定された行先階を、かご位置とは異なる態様でかご位置表示手段に表示するものとした請求項１に記載のエレベータの操作装置。
【請求項４】
かごの運転方向を表示する運転方向表示手段が設けられ、表示切替手段がリモコンによって指定された行先階をかご位置表示手段に所定時間表示している間、上記運転方向を消すようにした請求項１に記載のエレベータの操作装置。
【請求項５】
受信機がリモコンからの操作信号を受信すると、かごが上記操作信号に応答して呼び寄せられるまで上記操作信号を受信したことを表示する受信表示手段を設けた請求項１に記載のエレベータの操作装置。
【請求項６】
請求項５に記載の受信表示手段を、縦横に配列された表示エレメントを選択して明滅させるデジタル表示器で構成されたかご位置表示手段とし、リモコンからの操作信号を受信するごとに受信表示を、かご位置と併せて上記かご位置表示手段に表示するようにしたエレベータの操作装置。
【請求項７】
乗場に乗場釦が設けられ、この乗場釦によって上方向の乗場呼びが登録されたとき、又はリモコンによって指定された行先階が上方階のときは上方向を表示し、上記乗場釦によって下方向の乗場呼びが登録されたとき、又は上記リモコンによって指定された行先階が下方階のときは下方向を表示する乗場呼び登録表示手段を備えた請求項１に記載のエレベータの操作装置。
【請求項８】
リモコンは、固有の単一の操作信号を送出するものとし、上記操作信号が受信される階によって上記操作信号に対応する行先階を決定する行先階決定手段が設けられた請求項１に記載のエレベータの操作装置。
【発明の詳細な説明】
【０００１】
【発明の属する技術分野】
この発明は、リモコンで操作信号を送信してかごの行先階を登録する場合に、操作信号が受信されたことを表示するようにしたエレベータの操作装置に係るものである。
【０００２】
【従来の技術】
リモコンを用いた従来のエレベータの操作装置として、テレビ又はビデオ等に用いられるリモコン送信機でエレベータを操作するようにしたものが開示されている。即ち、エレベータを学習モードに切り替えた後、リモコンを操作して送信する。リモコンの操作と同時にエレベータ操作装置を操作してリモコンとエレベータ操作装置とを対応付けて記憶させる。対応付けが終了すると操作モードにする。操作モードの下でリモコンを操作すると、対応するエレベータ操作装置の操作信号が出力されると共に、その旨をブザー等で報知するようにしたものである。このように、学習モードにしてリモコンとエレベータ操作装置とを対応付けることにより、任意のリモコンでエレベータ操作装置と同じようにエレベータの制御装置に指令信号を伝達することができるようにしたものである（例えば、特許文献１参照。）。
【０００３】
また、図８は、リモコンによって行先階を登録した場合に、その行先階が表示されるようにした従来のエレベータの操作装置を示す。
即ち、乗場操作盤４は、１階から７階まで昇降するエレベータの各階の乗場に設けられたもので、図は２階乗場に設置されるものを例示し、運転方向表示灯７と、かご位置表示灯８と、上方向の乗場呼びを登録する上方向乗場釦９と、下方向の乗場呼びを登録する下方向乗場釦１０と、上方向の乗場呼びが登録されたことを表示する上方向乗場呼び登録灯１５と、下方向の乗場呼びが登録されたことを表示する下方向乗場呼び登録灯１６と、リモコン５５からの操作信号１２を受信する受信機１３と、リモコン５５によって指定された行先階を表示する行先階表示手段６０が取り付けられている。
【０００４】
更に、行先階表示手段６０は、各行先階を表示する階床名が記載された１階表示灯６１、３階表示灯６３〜７階表示灯６７からなる。図８はリモコン５５によって５階が行先階として指定され、５階表示灯６５が点灯した状態を示す。
【０００５】
【特許文献１】
特開平５−５８５６５号公報（段落番号２９）
【０００６】
【発明が解決しようとする課題】
従来のエレベータの操作装置は、上記のとおり構成されており、特許文献１に記載のものは、リモコンが操作されてエレベータ操作装置から対応する操作信号が出力されると、ブザーで報知するようにしたものである。このブザーによる報知によって、リモコンが正常に動作したことが分かる。しかし、ブザー等の音声は知得できる距離が限定されること及び耳障りである、という問題があった。
また、図８に記載のエレベータの操作装置は、リモコン５５によって行先階が指定されると、その行先階を階床ごとに行先階表示手段６０に表示するようにしたものである。このため、リモコン５５によって行先階が指定されたことは知得できるが、エレベータが設置されるビルによって階床数又は階床名が異なると、その都度行先階表示手段６０をビルの階床数及び階床名に合わせて乗場操作盤４を製造する必要があった。このため、乗場操作盤４を量産することができずコストが高い、という問題があった。
【０００７】
この発明は、上記問題点を解決するためになされたものであり、利用者が携行するリモコンから送信されたかごの行先階を受信すると、その行先階を表示して信号を受信したことを知らせることができるようにすることを目的とする。
また、ビルによってエレベータの停止階床数及び階床名が変化しても、その変化に左右されることなくリモコンから送信された行先階を表示できるようにして、量産可能なエレベータの操作装置を提供することを目的とするものである。
【０００８】
【課題を解決するための手段】
この発明に係るエレベータの操作装置は、利用者が携行するリモコンによって行先階が指定されると、乗場に設けられたかご位置表示手段に、それまで表示されていたかご位置に替えて、リモコンから送信された行先階を所定時間表示するようにしたものである。
また、かご位置表示手段を、縦横に配列された表示エレメントを選択して明滅させるデジタル表示器で構成したものである。
【０００９】
【発明の実施の形態】
実施の形態１．
図１から図５は、この発明の実施の形態１を示す。各図中、同一又は相当する部分には同一の符号を付しており、その重複説明は適宜に簡略化又は省略する。図１は、エレベータの操作装置が取り付けられた乗場の斜視図で、乗場１には、乗場出入口２が設けられ、その側部の壁３には、乗場操作盤４が設けられている。この乗場操作盤４は、壁３の側面に沿ったフェースプレート５と、壁３内に埋め込まれたケース６からなる。フェースプレート５には、かごの運転方向を表示する運転方向表示灯７及びかご位置を表示するかご位置表示灯８とが設けられている。運転方向表示灯７及びかご位置表示灯８は、いずれも縦横に配列された表示エレメントを選択して明滅させるデジタル表示器で構成されている。
【００１０】
更に、上行きのかごを呼び寄せる上方向乗場釦９と下行きのかごを呼び寄せる下方向乗場釦１０とが設けられている。両者を総称する場合は、乗場釦９、１０とする。利用者に携行されたリモコン１１から乗場操作盤４へ向けてかごの行先階を指定する操作信号１２が送信されると、この操作信号１２が受信機１３によって受信される。操作信号１２が受信されると、表示切替器１４は、かご位置に替えて行先階をかご位置表示灯８に所定時間表示する。
【００１１】
また、上方向乗場釦９によって上方向の乗場呼びが登録されたとき、又はリモコンによって上方の行先階が指定されたことに伴って上方向の乗場呼びが登録されたときは、いずれも上方向乗場呼び登録灯１５が点灯する。同様に、下方向乗場釦１０によって下方向の乗場呼びが登録されたとき、又はリモコンによって下方の行先階が指定されたことに伴って下方向の乗場呼びが登録されたときは、いずれも下方向乗場呼び登録灯１６が点灯する。上方向乗場呼び登録灯１５及び下方向乗場呼び登録灯１６を総称する場合は、乗場呼び登録灯１５、１６とする。
【００１２】
図２は、中間階、例えば２階の乗場１に取り付けられた乗場操作盤４を、動作順に配列した正面図で、図２（ａ）では、運転方向表示灯７は上方向を示し、かご位置表示灯８は３階を示している。従って、かごは３階を上方向へ向けて上昇していることを示す。乗場呼び登録灯１５、１６は、いずれも点灯しておらず、２階の乗場呼びは未登録であることを示している。
【００１３】
図２（ｂ）では、リモコン１１から行先階を５階とする操作信号が受信機１３によって受信された場合を示す。この受信によって、表示切替器１４は、かご位置に替えて行先階をかご位置表示灯８に所定時間表示する。また、行先階がかご位置表示灯８に表示されている間、運転方向表示灯７は消灯される。行先階である５階は２階よりも上方階であるから、上方向の乗場呼びが登録されて上方向乗場呼び登録灯１５が点灯する。
【００１４】
図２（ｃ）は、受信機１３がリモコン１１の操作信号を受信してから所定時間経過後の乗場操作盤４を示す。即ち、運転方向表示灯７は復帰してかごの運転方向を示し、かご位置表示灯８も復帰してかご位置を示す。図では、かごは未だ３階を上昇中であることを示す。上方向乗場呼び登録灯１５は点灯し続け、ＵＰ運転のかごが２階に応答して乗場呼びが打ち消されると消灯する。
【００１５】
図３は、リモコン１１の正面図で、鍵のホルダ部分には操作釦１１ａが１個と、この操作釦１１ａが操作されると、各リモコン１１に固有の５ビットからなる単一の操作信号が送出される送信機１１ｂとが設けられている。
従って、図３のリモコン１１は、利用者の交通動線が一定している場合に利用される。例えば、マンションの入居者が５階に居室を所有しており、５階の乗場１でリモコン１１を操作した場合は１階が行先階となり、１階の乗場１で操作した場合は５階が行先階となる場合が考えられる。
【００１６】
図４は、エレベータの操作装置の電気回路を示すブロックで、１階から７階まで昇降するエレベータの１階用の乗場操作盤４と５階用の乗場操作盤４′を明示し、他を省略したものである。
リモコン１１から送信される操作信号１２は、５ビットを伝送単位とするそれぞれ異なる固有の信号である。受信機１３は操作信号１２を伝送単位ごとに受信する。各乗場操作盤４にはマイコンが内蔵されており、このマイコンはＣＰＵ２１とプログラムが格納されたＲＯＭ２２と、受信機１３の受信信号に対応させて行先階が記載された変換テーブル２３と、一時的なデータが格納されるＲＡＭ２４と、外部装置との信号の授受を行う入出力回路２５とからなる。
また、マイコンは入出力回路２５を介してエレベータ制御盤３１と接続されており、リモコン１１からの操作信号１２を受信すると、変換テーブル２３で行先階に変換して乗場行先階呼び登録回路３２へ、また、リモコン１１が操作された階へかご４２を呼び寄せる乗場呼びを乗場呼び登録回路３３へ、それぞれ登録する。
【００１７】
図示のリモコン１１は、自身に割り当てられた固有の操作信号、例えば「０１００１」を送信するものとする。１階でリモコン１１を操作して操作信号「０１００１」を送信すると、変換テーブル２３で変換されて５階が行先階となる。１階に限らず、５階以外の階でリモコン１１を操作すると、全て５階が行先階となるように変換テーブル２３が構成されているものとする。また、５階でリモコン１１を操作して操作信号「０１００１」を送信すると、変換テーブル２３′で変換されて１階が行先階となる。つまり、リモコン１１は、１階と５階とが交通動線となる利用者に対するものである。他のリモコン１１も独自のビット構成を有し、同様に、利用者の交通動線に合った行先階に変換される。
【００１８】
かご操作盤４３によってかご呼びを発生させ、かご呼び登録回路３４へ登録することによりかご４２の行先階が指定される。かご位置制御回路３５は巻上機４１を制御して乗場呼び登録回路３３及びかご呼び登録回路３４に登録された呼びに、かご４２を応答させる。かご４２が応答すると、登録されている乗場呼び及びかご呼びは打ち消される。乗場呼びに応答した階で、乗場行先階呼びが乗場行先階呼び登録回路３２に登録されている場合、その乗場行先階呼びはかご呼びとしてかご呼び登録回路３４に新たに登録替えされた後打ち消される。
【００１９】
図５に従って、エレベータの操作装置の動作を説明する。
エレベータは稼動中とする。手順Ｓ１１で、かご位置制御回路３５からエレベータの運転方向を読み取り、手順Ｓ１２で運転方向表示灯７に表示する。手順Ｓ１３で、かご位置を同じくかご位置制御回路３５から読み取り、かご位置表示灯８に表示する。手順Ｓ１４で、乗場釦９、１０が操作された場合は、手順Ｓ１５へ移り、乗場呼びを乗場呼び登録回路３３へ登録すると共に乗場呼び登録灯１５、１６を点灯する。
【００２０】
手順Ｓ１６で、リモコン１１が操作されて操作信号１２が受信されると、手順Ｓ１７へ移り乗場行先階呼びが乗場行先階呼び登録回路３３に登録される。手順Ｓ１８で運転方向表示灯７が一時消去され、手順Ｓ１９で、かご位置に替えて操作信号による行先階が、かご位置表示灯８に表示される。
また、リモコン１１が操作されると、その階へかご４２を呼び寄せるための乗場呼びも発生する。その乗場呼びは、リモコン１１によって指定された行先階が上方階のときは上方向乗場呼びとなり、下方階のときは下方向乗場呼びとなる。この乗場呼びは、手順Ｓ２０で、乗場呼び登録回路３３へ登録されると共に、上方向乗場呼び登録灯１５又は下方向乗場呼び登録灯１６が点灯する。
【００２１】
手順Ｓ２１で、行先階が、かご位置表示灯８に所定時間表示されると、手順Ｓ２２で、消去されていたかご４２の運転方向が運転方向表示灯７に表示される。また、手順Ｓ２３で、行先階に替えてかご位置がかご位置表示灯８に表示される。
リモコン１１が操作されない場合は、手順Ｓ１６から手順Ｓ２４へ移る。
手順Ｓ２４で、かご４２が乗場呼びに応答すると、手順Ｓ２５で、乗場呼び登録回路３３に登録されていたその乗場呼びが打ち消され、対応する乗場呼び登録灯１５、１６も消灯する。かご４２が応答した乗場１でリモコン１１が操作されて乗場行先階呼びが登録されている場合は、手順Ｓ２６から手順Ｓ２７へ移り、その乗場行先階呼びを同じ行先階のかご呼びに変更して乗場行先階呼びは登録を打ち消される。
【００２２】
手順Ｓ２８で、かご４２がかご呼びに応答した場合は、手順Ｓ２９で、応答されたそのかご呼びの登録を、かご呼び登録回路３４から打ち消す。
手順Ｓ３０で、運転休止にされた場合は処理を終了する。運転を継続する場合は、手順Ｓ１１へ戻って処理を繰り返す。
【００２３】
上記実施の形態１によれば、利用者が携行するリモコン１１から送信された操作信号を乗場操作盤４の受信機１３が受信すると、その操作信号を行先階に変換してかご位置表示灯８に所定時間表示するようにしたので、利用者は操作信号が受信されたことを知得することができる。
また、かご位置表示灯８に行先階が表示されている間、運転方向表示灯７が消灯されるので、行先階を顕示することができる。
更に、リモコン１１の操作によって行先階呼びと共に、行先階が上方階のときは上方向乗場呼びが、下方階のときは下方向乗場呼びが発生し、それぞれ上方向乗場呼び登録灯１５又は下方向乗場呼び登録灯１６が点灯するので、利用者はリモコン１１によって行先階呼びと共に乗場呼びが発生したことを知得することができる。
更にまた、かご位置表示灯８は、縦横に配列された表示エレメントを選択して明滅させるデジタル表示器で構成したので、ビルによってエレベータの停止階床数及び階床名が変っても、かご位置表示灯８そのものは変える必要はないので、乗場操作盤４の量産が可能となる。
【００２４】
実施の形態２．
図６は、この発明の実施の形態２を示す。この実施の形態２は、受信機１３がリモコン１１からの操作信号１２を受信すると、かご４２が操作信号１２に応答して呼び寄せられるまで操作信号１２を受信したことを表示するようにしたもので、特に、かご位置と併せてデジタル表示器で構成されたかご位置表示灯８に表示するようにしてある。
図において、かご位置表示灯８の底辺部分の表示エレメントを、操作信号１２を受信したことを表示する受信表示手段４８とし、操作信号１２を受信する毎に表示エレメント４８ａ、４８ｂ〜を逐一点灯させる。リモコン１１の操作階へかご４２が応答すると、表示エレメント４８ａ、４８ｂ〜の内、行先階がかご４２の進行方向前方となる操作信号１２に対応するものが打ち消される。
【００２５】
次に、操作信号１２を受信したときの乗場操作盤４の動作を図６（ａ）〜（ｅ）に順に説明する。乗場操作盤４は２階に設置されているとする。
図６（ａ）は、図２（ａ）と同様であって、リモコン１１からの操作信号１２が受信される前の乗場操作盤４を示し、かご４２は３階を上方向へ向けて上昇運転していることを示す。乗場呼び登録灯１５、１６は、いずれも点灯しておらず、２階の乗場呼びは未登録であることを示している。
【００２６】
図６（ｂ）は、図２（ｂ）と同様であって、リモコン１１から操作信号１２が受信機１３によって受信され、行先階を５階とする場合を示す。かご位置表示灯８には、かご位置「３」に替えて行先階「５」が所定時間表示される。行先階がかご位置表示灯８に表示されている間、運転方向表示灯７は消灯される。行先階である５階は２階よりも上方階であるから、上方向の乗場呼びが登録されて上方向乗場呼び登録灯１５が点灯する。また、リモコン１１から操作信号１２を受信したことにより、受信表示手段４８の表示エレメント４８ａが点灯する。
【００２７】
図６（ｃ）は、図２（ｃ）と同様であって、受信機１３がリモコン１１の操作信号を受信してから所定時間経過後の乗場操作盤４を示す。即ち、運転方向表示灯７は復帰してかご４２の運転方向を示し、かご位置表示灯８も復帰してかご位置「３」を示す。図では、かご４２は未だ３階を上昇運転していることを示す。上方向乗場呼び登録灯１５は点灯し続ける。また、表示エレメント４８ａも点灯し続け、ＵＰ運転のかご４２が２階に応答すると打ち消される。
【００２８】
図６（ｄ）は、リモコン１１から操作信号１２が受信機１３によって受信され、行先階を１階とする場合を示す。かご位置表示灯８には、かご位置に替えて行先階「１」が所定時間表示される。行先階「１」がかご位置表示灯８に表示されている間、運転方向表示灯７は消灯される。行先階である１階は２階よりも下方階であるから、下方向の乗場呼びが登録されて下方向乗場呼び登録灯１６が点灯する。また、リモコン１１から操作信号１２を受信したことにより、受信表示手段４８の表示エレメント４８ｂが点灯する。
【００２９】
図６（ｅ）は、図６（ｃ）と同様であって、受信機１３がリモコン１１の操作信号を受信してから所定時間経過すると、運転方向表示灯７は復帰してかご４２の運転方向を示し、かご位置表示灯８も復帰してかご位置「３」を示す。下方向乗場呼び登録灯１５は点灯し続ける。また、表示エレメント４８ｂも点灯し続け、ＤＯＷＮ運転のかご４２が２階に応答すると打ち消される。
【００３０】
上記実施の形態２によれば、リモコン１１による操作信号１２を受信する毎に表示エレメント４８ａ、４８ｂ〜が逐一点灯され、かご４２が応答する迄点灯し続けるようにしたので、利用者は所定時間が経過してかご位置表示灯８から行先階が消去された後も、操作信号１２が受信されたことを知得することができる。なお、操作信号１２の受信は、乗場呼び登録灯１５、１６の点灯によっても知得可能であるが、特に、乗場呼び登録灯１５、１６が双方共点灯した後に、更に続けて操作信号１２を受信した場合は、受信表示手段４８の点灯によって、その受信を知得することができる。
また、受信表示手段４８は、デジタル表示器で構成されたかご位置表示灯８の底辺部分の表示エレメントで構成して、かご位置と併せて表示するようにしたので、ビルによってエレベータの停止階床数及び階床名が変化しても、その変化に左右されることなくリモコン１１からの操作信号の受信を表示することができる。このため、エレベータの操作装置を量産することが可能とる。
【００３１】
【実施例】
上記実施の形態１及び２で開示された構成要素に代る他の構成要素を、実施例として以下に述べる。
実施例１．
上記実施の形態１及び２では、リモコン１１からは、固有の５ビットからなる単一の操作信号が送出されるものとし、リモコン１１による行先階は限られていた。この実施例１は、任意の階を自在に行先階として指定できるようにしたものである。
図７は、実施例１におけるリモコン５１を示し、本体にはテンキー５２が設けられている。このテンキー５２を操作することにより、任意の階を行先階として送信機５３から乗場操作盤４へ直接送信することができる。例えば、２階の乗場１で、「５」のキー５２を操作すると、２階へかご４２を呼び寄せるための乗場呼び信号と、５階を行先階とする乗場行先階呼び信号が併せて発生する。以下、これらの呼びにかご４２が応答する点は、実施の形態１又は２と同様であり、説明を省略する。
【００３２】
上記実施例１によれば、操作するテンキー５２によって任意の階を行先階に指定して昇降することができるので、一社占有ビルの在籍者のように、任意の階間を往来する場合に適している。
【００３３】
実施例２．
上記実施の形態１及び２では、リモコン１１による操作信号が受信されると、かご位置に替えてリモコン１１によって指定された行先階をかご位置表示灯８に所定時間表示するようにしたが、上記行先階を、かご位置とは異なる態様でかご位置表示灯８に表示してもよい。例えば、かご位置を定常点灯とし、行先階を点滅点灯とする。又は、かご位置を白色点灯とし、行先階を赤色点灯とする、等が考えられる。
上記実施例２によれば、リモコン１１によって指定された行先階を更に顕示することができる。
【００３４】
【発明の効果】
この発明に係るエレベータの操作装置は以上説明したように、利用者が携行するリモコンによって行先階呼び信号が送信されると、乗場に設けられたかご位置表示手段に、それまで表示されていたかご位置に替えて、リモコンから送信された行先階を所定時間表示するようにしたものである。
このため、利用者はリモコンからの送信が受信されたことを知得することができる、という効果を奏する。
また、かご位置表示手段を、縦横に配列された表示エレメントを選択して明滅させるデジタル表示器で構成すれば、ビルによってエレベータの停止階床数及び階床名が変っても、かご位置表示手段そのものは変える必要はないので、エレベータの操作装置の量産が可能となる、という効果を奏する。
【図面の簡単な説明】
【図１】この発明の実施の形態１におけるエレベータの操作装置が取り付けられた乗場の斜視図。
【図２】この発明の実施の形態１におけるエレベータの操作装置を動作順に配列した正面図。
【図３】この発明の実施の形態１におけるエレベータの操作装置を構成するリモコンの正面図。
【図４】この発明の実施の形態１におけるエレベータの操作装置の電気回路を示すブロック図。
【図５】この発明の実施の形態１におけるエレベータの操作装置の動作を示す流れ図。
【図６】この発明の実施の形態２におけるエレベータの操作装置を動作順に配列した正面図。
【図７】この発明の実施の形態３におけるエレベータの操作装置を構成するリモコンの正面図。
【図８】従来のエレベータの操作装置の正面図。
【符号の説明】
１　乗場、　２　乗場出入口、　３　壁、　４　乗場操作盤、　５　フェースプレート、　６　ケース、　７　運転方向表示灯、　８　かご位置表示灯、　９上方向乗場釦、　１０　下方向乗場釦、　１１　リモコン、　１１ａ　操作釦、　１１ｂ　送信機、　１２　操作信号、　１３　受信機、　１４　表示切替器、　１５　上方向乗場呼び登録灯、　１６　下方向乗場呼び登録灯、　２１　ＣＰＵ、　２２　ＲＯＭ、　２３　変換テーブル、　２４　ＲＡＭ、　２５　入出力回路、　３１　エレベータ制御盤、　４１　巻上機、　４２　かご、　４３　かご操作盤、　４８　受信表示手段、　４８ａ　表示エレメント、　４８ｂ　表示エレメント、　５１　リモコン、　５２　テンキー、　５３　送信機。
【図１】
2004142861.tif 000003
【図２】
2004142861.tif 000004
【図３】
2004142861.tif 000005
【図４】
2004142861.tif 000006
【図５】
2004142861.tif 000007
【図６】
2004142861.tif 000008
【図７】
2004142861.tif 000009
【図８】
2004142861.tif 000010